(57)【要約】【課題】本発明は、ロック付きＦＰＣ用コネクタに関し、ＦＰＣ用コネクタに挿着したＦＰＣ基板が容易に抜けないように省スペースで実現することが課題である。【解決手段】ＦＰＣ基板を挿着させる開口部３を有し、前記ＦＰＣ基板のコンタクトと電気的に接続するコンタクトピンを前記開口部に連通する接続用空間部３ａにその一部が臨むようにして併設させ埋設させた絶縁ハウジング５で成るＦＰＣ用コネクタにおいて、前記絶縁ハウジングに基部６ａが固着され、先端部６ｂが弾性片となっていて前記接続用空間部３ａに臨み、前記先端部６ｂが前記ＦＰＣ基板２の待避手段によって挿入時に待避させられ、前記ＦＰＣ基板の挿入完了時には、前記先端部の係止部６ｃが当該ＦＰＣ基板２の両縁部に設けられた凹部２ｄに係止して、このＦＰＣ基板２が抜け出ないようにロックする弾性係止爪６でなるロック装置が設けられているロック付きＦＰＣ用コネクタ１とするものである。【選択図】図１
2009231069.tif 000002
【特許請求の範囲】
【請求項１】
ＦＰＣ基板を挿着させる開口部を有し、前記ＦＰＣ基板のコンタクトと電気的に接続するコンタクトピンを前記開口部に連通する接続用空間部にその一部が臨むようにして併設させ埋設させた絶縁ハウジングで成るＦＰＣ用コネクタにおいて、
前記絶縁ハウジングに基部が固着され、先端部が弾性片となっていて前記接続用空間部に臨み、前記先端部が前記ＦＰＣ基板の待避手段によって挿入時に待避させられ、前記ＦＰＣ基板の挿入完了時には、前記先端部の係止部が当該ＦＰＣ基板の短手方向の両側端部に設けられた凹部に係止して、このＦＰＣ基板が抜け出ないようにロックする弾性係止爪でなるロック装置が設けられていること、
を特徴とするロック付きＦＰＣ用コネクタ。
【請求項２】
絶縁ハウジングに外部に突出すること無くスライド自在に装着され、弾性部材によって常に一方向に付勢され、その付勢力に抗してスライドさせると一部が弾性係止爪に係合してこの弾性係止爪をＦＰＣ基板の凹部に係合しない位置に移動させ、接続用空間部に装着されロックされたＦＰＣ基板のロック作用を解除させるイジェクトプレートが設けられていること、
を特徴とする請求項１に記載のロック付きＦＰＣ用コネクタ。
【請求項３】
ＦＰＣ用コネクタの開口部から接続用空間部に装着された際に、
前記接続用空間部に挿入されるＦＰＣ基板の先端部における短手方向の両側端部に爪が係止して抜出しが防止される凹部が設けられていること、
を特徴とするＦＰＣ基板。
【発明の詳細な説明】
【技術分野】
【０００１】
本発明は、プリント基板に表面実装されるもので、フレキシブルプリント回路（以下、ＦＰＣ）基板と、その接続に使用される低背のＦＰＣ用コネクタに関するものである。
【背景技術】
【０００２】
従来、図１０に示すように、ＦＰＣ基板２１をある程度の抵抗力に抗して差し込むＦＰＣ用コネクタ（Non−ＺＩＦコネクタ）２０、（ＺＩＦ：  ZeroInsertion  Force）が知られている。また、ＦＰＣ基板の挿入力をゼロにして、回転式のロック装置を有したＺＩＦコネクタが知られている（特許文献１参照）。
【特許文献１】特開２０００−３０６６４２号公報
【発明の開示】
【発明が解決しようとする課題】
【０００３】
しかし、従来のＦＰＣ用コネクタでは、挿着されたＦＰＣ基板を固定するロック機能がないので、ＦＰＣ基板を脱着方向に引っ張ると抜けてしまうという課題がある。また、ＺＩＦコネクタにおいても、ＦＰＣ基板をコネクタに挿入した後に、固定させるためスライダー等を回転させる動作が必要となり、アッセンブリーする工数がかかっている。更に、ＺＩＦコネクタの直ぐ上に基板が配置される場合に、スライダーを回転させることができないので、使用することができないという課題がある。本発明に係るロック付きＦＰＣ用コネクタは、このような課題を解決するために提案されたものである。
【課題を解決するための手段】
【０００４】
本発明に係るロック付きＦＰＣ用コネクタの上記課題を解決して目的を達成するための要旨は、ＦＰＣ基板を挿着させる開口部を有し、前記ＦＰＣ基板のコンタクトと電気的に接続するコンタクトピンを前記開口部に連通する接続用空間部にその一部が臨むようにして併設させ埋設させた絶縁ハウジングで成るＦＰＣ用コネクタにおいて、前記絶縁ハウジングに基部が固着され、先端部が弾性片となっていて前記接続用空間部に臨み、前記先端部が前記ＦＰＣ基板の待避手段によって挿入時に待避させられ、前記ＦＰＣ基板の挿入完了時には、前記先端部の係止部が当該ＦＰＣ基板の短手方向の両側端部に設けられた凹部に係止して、このＦＰＣ基板が抜け出ないようにロックする弾性係止爪でなるロック装置が設けられていることである。
【０００５】
前記絶縁ハウジングに外部に突出すること無くスライド自在に装着され、弾性部材によって常に一方向に付勢され、その付勢力に抗してスライドさせると一部が弾性係止爪に係合してこの弾性係止爪をＦＰＣ基板の凹部に係合しない位置に移動させ、接続用空間部に装着されロックされたＦＰＣ基板のロック作用を解除させるイジェクトプレートが設けられていることを含むものである。
【０００６】
本発明に係るＦＰＣ基板の要旨は、ＦＰＣ用コネクタの開口部から接続用空間部に装着された際に、前記接続用空間部に挿入されるＦＰＣ基板の先端部における短手方向の両側端部に爪が係止して抜出しが防止される凹部が設けられていることである。
【発明の効果】
【０００７】
本発明のロック付きＦＰＣ用コネクタとＦＰＣ基板とによれば、先端部にテーパ等の待避手段と、係合用の凹部が設けられたＦＰＣ基板を、ロック付きＦＰＣ用コネクタの接続用空間部に差し込むだけでロック作用が完了し、ＦＰＣ基板の抜止め防止となる。このように、アッセンブリー工数を削減できる。また、イジェクトプレートを係止解除方向にスライドさせて、前記ロック作用を解除できるので、このイジェクトプレートがロック付きＦＰＣ用コネクタの外部に突出することが無く、省スペース化が実現される。よって、ロック付きＦＰＣ用コネクタの周囲にイジェクト用の空間を特に必要とせず、他の電子部品等の近接配置が可能となり、スペースの有効活用となる。
【発明を実施するための最良の形態】
【０００８】
本発明に係るロック付きＦＰＣ用コネクタ１は、図１乃至図２に示すように、ＦＰＣ基板２を挿着させる開口部３を有し、前記ＦＰＣ基板２のコンタクト２ａと電気的に接続するコンタクトピン４を前記開口部３に連通する接続用空間部３ａにその一部が臨むようにして併設させ埋設させた絶縁ハウジング５で成る。
【０００９】
そして、前記絶縁ハウジング５に基部６ａが固着され、先端部６ｂが弾性片となっていて前記接続用空間部３ａに臨み、前記先端部６ｂが前記ＦＰＣ基板２の先端部２ｂ両端に設けられた、待避手段としてのテーパ２ｃで挿入方向に直交する方向に広げられる。
【００１０】
更に、前記ＦＰＣ基板２の挿入完了時には、図４に示すように、前記先端部６ｂにおいて、Ｕ字状に屈曲した係止部６ｃが当該ＦＰＣ基板２の短手方向の両側端部に設けられた凹部２ｄに係止して、このＦＰＣ基板２が抜け出ないようにロックする弾性係止爪６でなるロック装置が設けられている。このロック装置における弾性係止爪６には、図３（Ｂ）に示すように、イジェクト用のイジェクト係止片６ｄが、当該弾性係止爪６の片側の側端面から起立させて設けられている。
【００１１】
また、図１及び図４（Ａ），（Ｂ），（Ｃ）に示すように、前記絶縁ハウジング５に外部に突出すること無くスライド自在に装着され、コイルスプリング等の弾性部材７によって常に一方向に付勢され、その付勢力に抗してスライドさせると一部、即ち、打ち抜きの空間部に形成されるテーパ部８ａが弾性係止爪６に係合し、詳細には、前記イジェクト用係止片６ｄに係合して、この弾性係止爪６の係止部６ｃをＦＰＣ基板２の凹部２ｄに係合しない位置へ脱出させ、接続用空間部３ａに装着されロックされたＦＰＣ基板２のロック作用を解除させるイジェクトプレート８が設けられている。
【００１２】
前記イジェクトプレート８は、その長手方向の両端部で、半円弧状に屈曲され、絶縁ハウジング５の両端部に形成された湾曲した係合部と摺接自在に係合している。絶縁ハウジング５の上部平面内で前記イジェクトプレート８がスライドするだけであり、前後方向にも、上下方向にも出っ張りが無く、周囲の電子部品の配設設計において邪魔することがない。前側の押し部８ｂに指を当ててこのイジェクトプレート８を後方に押し込むものである。
【００１３】
また、本発明に係るＦＰＣ基板２は、図２に示すように、ＦＰＣ用コネクタ１の開口部３から接続用空間部３ａに装着される先端部２ｂの両端に、前記係止部６ｃの待避手段として、挿入方向に直交する方向に広げるためのテーパ２ｃが形成されている。また、前記接続用空間部３ａに挿入されるＦＰＣ基板の先端部２ｂの範囲内における短手方向の両側端部に、凹部２ｄが設けられてなるものである。この凹部２ｄに、前記弾性係止爪６の係止部６ｃが落ち込んで、接続用空間部３ａから抜け出さないように係合され、ＦＰＣ基板２がロックされる。
【００１４】
以上のようにして、ロック付きＦＰＣ用コネクタ１とＦＰＣ基板２とが構成されて、図５（Ａ）〜（Ｄ）に示すように、開口部３から接続用空間部３ａにＦＰＣ基板２を差し込むだけで、容易に抜け出さないようにロックされ、また、イジェクトプレート８を後方に押し込むと、テーパ部８ａが係止部６ｃを図４（Ｂ）に示すように、外側に屈曲させて、凹部２ｄから係止部６ｃが抜け出てロック作用が解除される。よって、ＦＰＣ基板２をロック付きＦＰＣ用コネクタ１から容易に脱着させることができる。
【００１５】
本発明に係るロック付きＦＰＣ用コネクタ１ａの第２実施例として、図６乃至図７に示すように、イジェクト部品とロック部品とを一体にしロック兼用イジェクトプレート９にしたものである。このロック兼用イジェクトプレート９は、ロック用の係合爪９ｂを有し、ロック解除用の解除用レバー部９ａが一体に形成され、カバー１０の支点部１０ａで回動するようになっている。このように、部品点数を削減することができる。なお、この第２実施例では、ＦＰＣ基板２の基板自体（板厚）が、前記係合爪９ｂを押し上げて待避させる待避手段となる。よって、ＦＰＣ基板２側にテーパ２ｃが不要である。
【００１６】
第３実施例は、図８に示すように、ロック付きＦＰＣ用コネクタ１ｂにおいて、ロック用の弾性係止爪１１に係合用の係止爪１１ａと、イジェクト用の押部１１ｂとがある。前記係止爪１１ａが、ＦＰＣ基板２の基板自体（板厚）が待避手段であってこれに押し下げられて、その後にＦＰＣ基板２の凹部２ｄと係合する。それを解除させる際に、別部材のツール１２を使用し、このツール１２のイジェクト用突起１２ａによって、前記押部１１ｂを下に押して、係止爪１１ａの係合を解除させるものである。これは、ＦＰＣ基板２が、プリント基板上の奥まった位置に表面実装されているロック付きＦＰＣ用コネクタ１ｂに挿着されている場合に、周囲の電子機器によって指を差し入れることが出来ないことがあり、そのような場合において、ツール１２を使用することでＦＰＣ基板２の脱着を可能にするものである。
【００１７】
第４実施例は、図９に示すように、ロック付きＦＰＣ用コネクタ１ｃにおいて、前記第３実施例の弾性係止爪１１の用に、係止爪１１ａが上下に移動してロックして、また、解除するように構成し、イジェクトプレート１３が、後方にスライド自在にしてあるものである。この場合、ＦＰＣ基板２には、テーパ２ｃが不要にされ、このＦＰＣ基板２の基板自体（板厚）が待避手段であって、それにより係止爪１１ａを押し下げるものである。前記イジェクトプレート１３は、前部分の弾性屈曲部１３ａを弾性反力部として、後方にスライドした後に元の位置に戻るものである。
【図面の簡単な説明】
【００１８】
【図１】本発明に係るロック付きＦＰＣ用コネクタ１の平面図（Ａ）、正面図（Ｂ）、側面図（Ｃ）、底面図（Ｄ）、背面図（Ｅ）、Ｙ−Ｙ線に沿った断面図（Ｆ）である。
【図２】同本発明のＦＰＣ基板２の平面図である。
【図３】同ロック付きＦＰＣ用コネクタ１における弾性係止爪６の一部平面図（Ａ）と、一部拡大斜視図（Ｂ）とである。
【図４】同ロック付きＦＰＣ用コネクタ１における、イジェクトプレート８とイジェクト用係止片６ｄとの係合の様子を示す平面図（Ａ）と、係止解除させる様子を示す動作説明図（Ｂ）と、一部拡大斜視図（Ｃ）とである。
【図５】同ロック付きＦＰＣ用コネクタ１とＦＰＣ基板２との嵌合と脱着の操作説明をする説明図（Ａ）〜（Ｄ）である。
【図６】第２実施例に係るロック付きＦＰＣ用コネクタ１ａの使用状態を示す説明図である。
【図７】同第２実施例に係る嵌合状態の一部縦断面図である。
【図８】第３実施例に係るロック付きＦＰＣ用コネクタ１ｂの使用状態を示す分解説明用斜視図である。
【図９】第４実施例に係るロック付きＦＰＣ用コネクタ１ｃの使用状態を示す分解説明用斜視図である。
【図１０】従来例に係るＦＰＣ用コネクタ２０とＦＰＣ基板２１との使用状態を示す説明図である。
【符号の説明】
【００１９】
１，１ａ，１ｂ，１ｃ      ロック付きＦＰＣ用コネクタ、
２          ＦＰＣ基板、                        ２ａ      コンタクト、
２ｂ        先端部、                            ２ｃ      テーパ、
２ｄ        凹部、
３          開口部、                            ３ａ      接続用空間部、
４          コンタクトピン、
５          絶縁ハウジング、
６          弾性係止爪、                        ６ａ      基部、
６ｂ        先端部、                            ６ｃ      係止部、
６ｄ        イジェクト係止片、
７          弾性部材、
８          イジェクトプレート、                ８ａ      テーパ部、
８ｂ        押し部、
９          ロック兼用イジェクトプレート、      ９ａ      解除用レバー、
９ｂ        係合爪、
１０        カバー、                            １０ａ    支点部、
１１        弾性係止爪、                        １１ａ    係止爪、
１１ｂ      押し部、
１２        ツール、                            １２ａ    イジェクト用突起、                                            
１３        イジェクトプレート、                １３ａ    弾性屈曲部、
２０        従来例に係るＦＰＣ用コネクタ、
２１        従来例に係るＦＰＣ基板。
【図１】
2009231069.tif 000003
【図２】
2009231069.tif 000004
【図３】
2009231069.tif 000005
【図４】
2009231069.tif 000006
【図５】
2009231069.tif 000007
【図６】
2009231069.tif 000008
【図７】
2009231069.tif 000009
【図８】
2009231069.tif 000010
【図９】
2009231069.tif 000011
【図１０】
2009231069.tif 000012